【事件の表示】
　特願２００５−１９５０４８「画像形成装置及び画像形成システム」拒絶査定不服審判事件〔平成１９年　１月１８日出願公開、特開２００７−　　８１２４〕について、次のとおり審決する。
【結　論】
　本件審判の請求は、成り立たない。
【理　由】
１　手続の経緯
　本願は、平成１７年７月４日の出願であって、平成２２年１０月２６日付けで手続補正がなされ、同年１１月１２日付けで拒絶査定がなされ、これに対して、平成２３年２月１４日に拒絶査定不服審判が請求されたものである。
　
２　本願発明
　本願の請求項１ないし１２に係る発明は、平成２２年１０月２６日付け手続補正によって補正された明細書、特許請求の範囲及び図面の記載からみて、その特許請求の範囲の請求項１ないし１２に記載された事項によって特定されるとおりのものであると認められるところ、請求項１に係る発明は次のものである。
　
「複数の原稿ページから成る原稿の画像データに基づいて画像を記録媒体上に形成すると共に、前記記録媒体にページ番号を印字させる指示を受け付けた場合に前記記録媒体にページ番号を印字させる画像形成手段と、前記記録媒体に後処理を施す後処理手段とを有する画像形成装置において、
　前記後処理の実行対象となる前記原稿ページの区分の指定を受け付ける後処理区分設定入力手段と、
　前記ページ番号を印字させる指示を受け付け、且つ、前記後処理区分設定入力手段が後処理の実行対象となる前記原稿ページの区分を受け付けた場合、前記画像形成手段に、前記区分毎に開始番号が１に設定された連続番号を前記ページ番号として印字させる番号設定制御手段と、
　を備えること、を特徴とする画像形成装置。」（以下「本願発明」という。）
　
３　刊行物の記載事項
　原査定の拒絶の理由に引用された「本願の出願前に頒布された刊行物である特開２００３−９１３８０号公報（以下「引用例」という。）」には、図とともに次の事項が記載されている。（下線は審決で付した。以下同じ。）
（１）「【請求項１】  ステイプル機能を備えた印刷装置と、該印刷装置に接続する情報処理装置とから構成される文書処理システムであって、
文書を複数の部分に分けて、各部分に対してステイプルするか否かを指示する部分ステイプル指示を設定するための設定手段と、
前記設定手段により設定された部分ステイプル指示に応じて印刷データを生成する生成手段と、
前記生成された印刷データに基づき、前記文書の各部分に対してステイプルを施すステイプル手段とを有することを特徴とする文書処理システム。
【請求項２】  前記設定手段はユーザインタフェース画面を含み、該ユーザインタフェース画面によりユーザが設定することを特徴とする請求項１に記載の文書処理システム。
【請求項３】  ステイプル機能を備えた印刷装置と、該印刷装置に接続する情報処理装置とから構成される文書処理システムであって、
文書全体に対してステイプルするか、複数の部分に分けられた文書の各部分に対してステイプルするかを指定する指定手段と、
前記文書全体に対してステイプル指定された場合は前記文書を１つのジョブとして印刷データを生成し、また前記文書の各部分に対してステイプル指定された場合はステイプル指定された部分とステイプル指定されていない部分とを複数のジョブに分けて印刷データを生成する生成手段と、
前記生成された印刷データに基づき、前記文書全体又は文書の各部分に対してステイプルを施すステイプル手段とを有することを特徴とする文書処理システム。
【請求項４】  前記生成手段は、複数のジョブに対応するバインダーを生成し、複数のバインダーをジョブバインドして１つのジョブに構成することを特徴とする請求項３に記載の文書処理システム。」
　
（２）「【０００１】
【発明の属する技術分野】本発明は、
ステイプル機能を備えた印刷装置と、該印刷装置に接続する情報処理装置とから構成される文書処理システム
　
（３）「【０００２】
【従来の技術】文字や表、画像などデータの種類が異なると、データを定義する構造やそれらデータに対する編集操作が異なるため、データの種類に応じた様々なアプリケーションプログラムが提供されている。利用者は、例えば文字を編集するためには文字処理プログラムを、表を編集するためには表計算プログラムを、画像を編集するためには画像編集プログラムをといった具合に、編集対象のデータ種類別にアプリケーションプログラムを使い分けている。
【０００３】このように、利用者は編集対象のデータ種類毎にアプリケーションプログラムを使い分けるのが一般的である。しかし、利用者が作成しようとする文書としては、例えば文字のみや、表のみ、画像のみといった１種類のデータのみから構成される文書よりも、文字と表、文字と画像など複数種類のデータから構成される文書の方が一般的である。そこで、複数種類のデータを含む目的文書を作成するために、利用者は各種アプリケーションが備えている印刷機能を利用してアプリケーション毎にデータを印刷させて、印刷物を所望の順序に組み合わせる必要があった。
【０００４】あるいは、いわゆる「オフィススイート」と呼ばれる、
各種アプリケーションによって一つの統合アプリケーションを形成するプログラムには、各アプリケーションで生成されたデータを組み合わせ、一つの文書を構成する機能を提供する
【０００５】また、パーソナルコンピュータ等の情報処理装置上で編集中の文書を、
ステイプルを施して複数部印刷するには、まずプリンタ等の印刷装置に対して１部の印刷を実行し、得られた印刷物を原稿として、ステイプル可能な複写機でステイプル指示及び部数を指定してコピーする作業が一般に行われている
【０００６】
最近では、情報処理装置から文書の印刷を行う際に、ステイプルを直接指示できるプリンタや複写機などの印刷装置も実用化されている
　
（４）「【０００７】
【発明が解決しようとする課題】
しかしながら、利用者が各種アプリケーションによって印刷物を組み合わせて一つの目的文書を作成する場合、例えばページ番号を各ページに振るためには、一旦必要なデータをすべて印刷出力し、文書としてまとめてから付すべきページ番号を決定する必要がある。そして、各アプリケーションによって、そのアプリケーションで作成された原稿の各ページ（これを論理ページあるいは原稿ページと呼ぶ）毎に、決定されたページ番号を書き込んでいく。尚、アプリケーションプログラムがページ番号を振る機能を有している場合であっても、不連続部分があればその部分についてはやはり利用者がページ番号を指定しなければならない
【０００８】このように、
データの種類毎にそれらを管理できるアプリケーションが異なることにより、アプリケーション間のインタフェースを利用者自身が人手によって提供しなければならない。このことは、利用者に多大な労力が要求されるということであり、生産性の低下をもたらす。更に、多くの人手を介することにより、エラーの発生も生じやすかった
【０００９】
一方、上述の統合アプリケーションを利用して目的文書を作成する場合には、印刷出力せず、データの状態で各種データを配置することができる
しかしながら、
利用者が所望のアプリケーションを使用できるとは限らない
文書ファイルの一部について書式を設定しようとしてもアプリケーションの機能による制約が多く
ため、多くの労力が必要とされて生産性が低い点においては、前述した方法と変わりはなかった
【００１０】
更に、従来のプリンタのステイプル制御では、
文書中のどこからどこまでをステイプルする、といった指定はできなかったため、一つの文書を複数の部分に分けてステイプルしたり、文書の一部分のみをステイプルしたりすることはできないという問題点があった
アプリケーションの部分印刷機能を用いて、ステイプルする範囲の部分印刷を繰り返し実行する方法が行われてきた。しかし、この方法では手間がかかるだけでなく、一つの文書を印刷する際、複数の印刷ジョブを発生させることとなり、印刷の中止やステータス表示などの印刷ジョブ制御を行うためには、通常の印刷ジョブとは異なり、複数の印刷ジョブを対象に実施する必要があるという問題点があった。また、ネットワークに接続された共有プリンタでは、他の印刷ジョブが間に割り込むことがあるという問題点があった
【００１１】本発明は、上記従来例に鑑みてなされたもので、
ユーザが文書中の任意の部分に対してステイプル指示を行える文書処理システム
を提供することを目的とする
【００１２】また、本発明は、
複数のステイプル処理を１つの印刷ジョブで実現できる
　
（５）「【００１３】
【課題を解決するための手段】上記目的を達成するために、本発明は、
ステイプル機能を備えた印刷装置と、該印刷装置に接続する情報処理装置とから構成される文書処理システムであって、文書を複数の部分に分けて、各部分に対してステイプルするか否かを指示する部分ステイプル指示を設定するための設定手段と、前記設定手段により設定された部分ステイプル指示に応じて印刷データを生成する生成手段と、前記生成された印刷データに基づき、前記文書の各部分に対してステイプルを施すステイプル手段とを有す
【００１４】また、本発明は、ステイプル機能を備えた印刷装置と、該印刷装置に接続する情報処理装置とから構成される文書処理システムであって、文書全体に対してステイプルするか、複数の部分に分けられた文書の各部分に対してステイプルするかを指定する指定手段と、前記文書全体に対してステイプル指定された場合は前記文書を１つのジョブとして印刷データを生成し、また前記文書の各部分に対してステイプル指定された場合はステイプル指定された部分とステイプル指定されていない部分とを複数のジョブに分けて印刷データを生成する生成手段と、前記生成された印刷データに基づき、前記文書全体又は文書の各部分に対してステイプルを施すステイプル手段とを有することを特徴とする。」
　
（６）「【００１７】
【発明の実施の形態】以下、図面を参照しながら本発明に係る実施の形態を詳細に説明する。
【００１８】＜システム概要＞まず、本発明に係る文書処理システムの概要について、図１乃至図１２を参照して以下に説明する。尚、この文書処理システムは、
一般のアプリケーションによって作成されたデータファイルを電子原稿ファイルに変換する電子原稿ライタと、その電子原稿ファイルを編集する機能を提供する製本アプリケーションとを含み、作成されたデータを一まとめにした文書の作成及び編集を可能とし、その操作性を向上させて文書編集を効率的に行えるものである
【００１９】＜システム構成及び動作＞図１は、本実施形態の文書処理システムのソフトウェア構成を示す図である。文書処理システムは、本発明の情報処理装置に好適な実施形態であるデジタル
コンピュータ
コンピュータ
アプリケーションは、作成された文書データや画像データなどのアプリケーションデータを印刷する際に、オペレーティングシステム（ＯＳ）によって提供される所定のインタフェース（一般に、ＧＤＩと呼ばれる）を利用する
インタフェースを提供するＯＳの出力モジュールに対して、あらかじめ定められる、ＯＳに依存する形式の出力コマンド（ＧＤＩ関数と呼ばれる）を送信する
一方、出力コマンドを受けた出力モジュールは、その出力コマンドをプリンタ等の出力デバイスが処理可能な形式に変換して、変換されたコマンド（ＤＤＩ関数と呼ばれる）を出力する
ＧＤＩ（Graphic Device Interface）と呼ばれる
【００２０】
電子原稿ライタ１０２は、
本文書処理システム実現のために提供されるソフトウェアモジュールである
後述する製本アプリケーション１０４やプリンタドライバ１０６により処理可能な形式に出力コマンドを変換する
電子原稿形式と呼ぶ
【００２１】
一般アプリケーション１０１から電子原稿ライタ１０２を利用させる場合には、出力に使用するデバイスドライバとして電子原稿ライタ１０２を指定してから印刷を実行させる
電子原稿ライタ１０２によって作成されたファイルを「電子原稿ファイル」と呼び、製本アプリケーション１０４によって構造を与えられた電子原稿ファイルを「ブックファイル」と呼ぶ。
アプリケーションにより生成されるドキュメントファイル、電子原稿ファイル、及びブックファイルをいずれも文書ファイル（または文書データ）と呼ぶ
【００２２】このように
デバイスドライバとして電子原稿ライタ１０２を指定し、一般アプリケーション１０１によりデータを印刷させることで、アプリケーションデータはアプリケーション１０１によって定義されたページ（以後論理ページあるいは原稿ページと呼ぶ）を単位とする電子原稿形式に変換され、電子原稿ファイル１０３としてハードディスクなどの記憶媒体に格納される
【００２３】製本アプリケーション１０４は電子原稿ファイル（あるいはブックファイル）１０３を読み込み、それを編集するための機能を利用者に提供する。但し、製本アプリケーション１０４は、各ページの内容を編集する機能は提供しておらず、ページを最小単位として構成される、後述する章やブックの構造を編集するための機能を提供している。
【００２４】
製本アプリケーション１０４によって編集されたブックファイル１０３を印刷する際には、製本アプリケーション１０４によって電子原稿デスプーラ１０５が起動される。電子原稿デスプーラ１０５は、
プログラムモジュールであり、製本アプリケーションで利用するドキュメント（ブックファイル）を印刷する際に、プリンタドライバへ描画データを出力するために使用されるモジュールである
電子原稿デスプーラ１０５は、指定されたブックファイルをハードディスクから読み出し、ブックファイルに記述された形式で各ページを印刷するために、前述したＯＳの出力モジュールに適合する出力コマンドを生成し、不図示の出力モジュールに出力する
出力デバイスとして使用されるプリンタ１０７用のプリンタドライバ１０６がデバイスドライバとして指定され
出力モジュールは、受信した出力コマンドをデバイスコマンドに変換して指定されたプリンタ１０７用のプリンタドライバ１０６に出力し、そのプリンタドライバ１０６がプリンタ１０７で解釈実行可能なページ記述言語等のコマンドに変換する。そして、変換されたコマンドはプリンタドライバ１０６から不図示のシステムスプーラを介してプリンタ１０７に送信され、プリンタ１０７によってコマンドに応じた画像が印刷される
【００２５】図２は、コンピュータ１００のハードウェアブロック図である。図２において、ＣＰＵ２０１は、ＲＯＭ２０３のプログラム用ＲＯＭに記憶された、あるいはハードディスク２１１からＲＡＭ２０２にロードされたＯＳや一般アプリケーション、製本アプリケーションなどのプログラムを実行し、図１のソフトウェア構成や、後述するフローチャートの手順を実現する。ＲＡＭ２０２は、ＣＰＵ２０１の主メモリ、ワークエリア等として機能する。キーボードコントローラ（ＫＢＣ）２０５は、キーボード２０９や不図示のポインティングデバイスからのキー入力を制御する。ＣＲＴコントローラ（ＣＲＴＣ）２０６は、ＣＲＴディスプレイ２１０の表示を制御する。ディスクコントローラ（ＤＫＣ）２０７は、ブートプログラム、種々のアプリケーション、フォントデータ、ユーザファイル、後述する編集ファイル等を記憶するハードディスク（ＨＤ）２１１やフロッピー（登録商標）ディスク（ＦＤ）等とのアクセスを制御する。ＰＲＴＣ２０８は、接続されたプリンタ１０７との間の信号の交換を制御する。ＮＣ２１２はネットワークに接続されて、ネットワークに接続された他の機器との通信制御処理を実行する。」
　
（７）「【００２６】＜電子原稿データの形式＞編集アプリケーション１０４の詳細を言及する前に、
ブックファイルのデータ形式
３層の層構造を有す
上位層は「ブック」と呼ばれ
中間層
「章」と呼ばれる
下位層は「ページ」であ
アプリケーションプログラムで定義された各ページに相当する
一つのブックは複数の章を含んでいてよく、また一つの章は複数のページを含むこともでき
【００２７】図３に示す（Ａ）は、ブックファイルの形式の一例を模式的に示す図である。図示するように、この例では、ブックファイルにおけるブック，章，ページは、それぞれに相当するノードにより示されている。
一つのブックファイルは一つのブックを含
ブック，章は、
定義された属性値と下位層へのリンクとをその実体として含
ページは、アプリケーションプログラムによって出力されたページ毎のデータを実体として有
属性値のほかに、原稿ページの実体（原稿ページデータ）と各原稿ページデータへのリンクを含
【００２８】尚、
紙媒体等に出力する
【００２９】図３において、ブック３０１には、ブック属性が定義されていると共に、２つの章３０２Ａ，３０２Ｂがリンクされている。このリンクにより、章３０２Ａ，３０２Ｂがブック３０１に包含されていることが表示される。章３０２Ａには、ページ３０３Ａ，３０３Ｂがリンクされ、これらページが含まれることが示されている。各ページ３０３Ａ，３０３Ｂにはそれぞれ属性値が定義され、その実体である原稿ページデータ（１）、（２）へのリンクが含まれる。これらリンクは、図３に示す（Ｂ）のように原稿ページデータ３０４のデータ（１），（２）を指し示し、ページ３０３Ａ、３０３Ｂの実体が原稿ページデータ（１）、（２）であることを表示している。
　
（８）「【００３０】図４は、ブック属性のリストである。下位層と重複して定義可能な項目に関しては、下位層の属性値が優先採用される。そのため、ブック属性にのみ含まれる項目に関しては、ブック属性に定義された値はブック全体を通して有効な値となる。しかし、下位層と重複する項目については、下位層において定義されていない場合における既定値としての意味を有する。尚、図示された各項目は具体的に１項目に対応するのではなく、関連する複数の項目を含むものもある。
【００３１】図５は章属性の、図６はページ属性のリストである。章属性とページ属性との関係もブック属性と下位層の属性との関係と同様である。
【００３２】図４〜図６から明らかなように、ブック属性に固有の項目は、印刷方法、製本詳細、表紙／裏表紙、インデックス紙、合紙、章区切りの６項目である。これらはブックを通して定義される項目である。印刷方法の属性としては、片面印刷、両面印刷、製本印刷の３つの値を指定できる。ここで、製本印刷とは、別途指定する枚数の用紙を束にして２つ折りにし、その束をつづり合わせることで製本が可能となる形式で印刷する方法である。製本詳細属性としては、製本印刷が指定されている場合に、見開き方向や、束になる枚数等が指定できる。
【００３３】表紙／裏表紙属性は、ブックとしてまとめられる電子原稿ファイルを印刷する際に、表紙及び裏表紙となる用紙を付加することの指定、及び付加した用紙への印刷内容の指定を含む。インデックス紙属性は、章の区切りとして、印刷装置に別途用意される耳付きのインデックス紙の挿入の指定及びインデックス（耳）部分への印刷内容の指定を含む。この属性は、印刷用紙とは別に用意された用紙を所望の位置に挿入するインサート機能を持ったインサータが使用する印刷装置に備えられている場合か、あるいは、複数の給紙カセットを使用可能である場合に有効となる。これは合紙属性についても同様である。
【００３４】合紙属性は、章の区切りとして、インサータから、あるいは給紙カセットから供給される用紙の挿入の指定、及び合紙を挿入する場合には、給紙元の指定などを含む。
【００３５】章区切り属性は、章の区切り目において、新たな用紙を使用するか、新たな印刷ページを使用するか、特に何もしないか等の指定を含む。片面印刷時には、新たな用紙の使用と新たな印刷ページの使用とは同じ意味を持つ。両面印刷時には、「新たな用紙の使用」を指定すれば連続する章が１枚の用紙に印刷されることは無いが、「新たな印刷ページの使用」を指定すれば、連続する章が１枚の用紙の表裏に印刷されることがあり得る。
【００３６】章属性に関しては、章に固有の項目はなく、全てブック属性と重複する。従って、章属性における定義とブック属性における定義とが異なれば、章属性で定義された値が優先する。ブック属性と章属性とにのみ共通する項目は、用紙サイズ、用紙方向、Ｎ−ｕｐ印刷指定、拡大縮小、排紙方法の５項目である。これらのうち、Ｎ−ｕｐ印刷指定属性は１印刷ページに含まれる原稿ページ数を指定するための項目である。指定可能な配置としては、１×１、１×２、２×２、３×３、４×４などがある。排紙方法属性は、排出した用紙にステイプル処理を施すか否かを指定するための項目であり、この属性の有効性は使用する印刷装置がステイプル機能を有するか否かに依存する。
【００３７】ページ属性に固有の項目には、ページ回転属性、ズーム、配置指定、アノテーション、ページ分割などがある。ページ回転属性は、原稿ページを印刷ページに配置する際の回転角度を指定するための項目である。ズーム属性は、原稿ページの変倍率を指定するための項目である。変倍率は、仮想論理ページ領域のサイズを１００％として指定される。仮想論理ページ領域とは、原稿ページを、Ｎｕｐ等の指定に応じて配置した場合に、１原稿ページが占める領域である。例えば、１×１であれば、仮想論理ページ領域は１印刷ページに相当する領域となり、１×２であれば、１印刷ページの各辺を約７０パーセントに縮小した領域となる。
【００３８】ブック、章、ページについて共通な属性としては、ウォーターマーク属性及びヘッダ・フッタ属性がある。ここで、ウォーターマークとは、アプリケーションで作成されたデータに重ねて印刷される、別途指定される画像や文字列などである。ヘッダ・フッタは、それぞれ各ページの上余白及び下余白に印刷されるウォーターマークである。但し、ヘッダ・フッタには、ページ番号や日時など変数により指定可能な項目が用意されている。尚、ウォーターマーク属性およびヘッダ・フッタ属性において指定可能な内容は、章とページとは共通であるが、ブックはそれらと異なっている。ブックにおいてはウォーターマークやヘッダ・フッタの内容を設定できるし、また、ブック全体を通してどのようにウォーターマークやヘッダ・フッタを印刷するかを指定することができる。一方、章やページでは、その章やページにおいて、ブックで設定されたウォーターマークやヘッダ・フッタを印刷するか否かを指定できる。」
　
（９）「【００３９】＜ブックファイルの生成手順＞ブックファイルは上述したような構造及び内容を有している。次に、製本アプリケーション１０４及び電子原稿ライタ１０２によるブックファイルの作成手順について説明する。ブックファイルの作成手順は、製本アプリケーション１０４によるブックファイルの編集操作の一環として実現される。
【００４０】図７は、
製本アプリケーション１０４によりブックファイルを開く際の手順である。まず、開こうとするブックファイルが、新規作成すべきものであるか、それとも既存のものであるか判定
新規作成の場合には、章を含まないブックファイルを新規に作成する
そして、新規ブックファイルを編集するためのユーザインタフェース（ＵＩ）画面を表示
【００４１】
一方、既存のブックファイルがあれば、指定されたブックファイルを開き（ステップＳ７０３）、そのブックファイルの構造、属性、内容に従ってユーザインタフェース（ＵＩ）画面を表示
ＵＩ画面１１００は、ブックの構造を示すツリー部１１０１と、印刷された状態を表示するプレビュー部１１０２とを含む
ツリー部１１０１には、ブックに含まれる章、各章に含まれるページが図３に示す（Ａ）のような木構造で表示され
ツリー部１１０１に表示されるページは原稿ページである
プレビュー部１１０２には、印刷ページの内容が縮小されて表示される。その表示順序はブックの構造を反映したものとなって
【００４２】さて、
開かれたブックファイルには、電子原稿ライタ１０２によって電子原稿ファイルに変換されたアプリケーションデータを、新たな章として追加することができる。この機能を電子原稿インポート機能と呼ぶ
【００４３】図８に電子原稿インポートの手順を示す。まず、指定されたアプリケーションデータを生成したアプリケーションプログラムを起動し、デバイスドライバとして電子原稿ライタ１０２を指定してアプリケーションデータを印刷出力させることで、電子原稿データに変換する（ステップＳ８０１）。変換を終えたなら、変換されたデータが画像データであるか否かを判定する（ステップＳ８０２）。この判定は、ウインドウズＯＳの下であれば、アプリケーションデータのファイル拡張子に基づいて行われる。例えば、拡張子が「ｂｍｐ」であればウインドウズビットマップデータであり、「ｊｐｇ」であればｊｐｅｇ圧縮された画像データ、「ｔｉｆｆ」であればｔｉｆｆ形式の画像データであると判定できる。また、このような画像データの場合はＳ８０１０のようにアプリケーションを起動せずに、画像データから直接電子原稿ファイルを生成することが可能であるため、Ｓ８０１０の処理を省略することも可能である。
【００４４】ここで、画像データでなかった場合には、ステップＳ８０１で生成された電子原稿ファイルを、現在開かれているブックファイルのブックに、新たな章として追加する（ステップＳ８０３）。章属性としては、ブック属性と共通するものについてはブック属性の値がコピーされ、そうでないものについては、予め用意された規定値に設定される。
【００４５】また、ステップＳ８０２で画像データである場合には、原則として新たな章は追加されず、指定されている章に、ステップＳ８０１で生成された電子原稿ファイルに含まれる各原稿ページが追加される（ステップＳ８０４）。但し、ブックファイルが新規作成されたファイルであれば、新たな章が作成されて、その章に属するページとして電子原稿ファイルの各ページが追加される。ページ属性は、上位層の属性と共通のものについてはその属性値が与えられ、アプリケーションデータにおいて定義された属性を電子原稿ファイルに引き継いでいるものについてはその値が与えられる。例えば、Ｎｕｐ指定などがアプリケーションデータにおいて指定されていた場合には、その属性値が引き継がれる。このようにして、新規なブックファイルが作成され、あるいは、新規な章が追加される。
【００４６】図９は、図８に示すステップＳ８０１において、電子原稿ライタ１０２により電子原稿ファイルを生成させる手順のフローチャートである。まず、新たな電子原稿ファイルを作成してそれを開く（ステップＳ９０１）。指定したアプリケーションデータに対応するアプリケーションを起動し、電子原稿ライタをデバイスドライバとしてＯＳの出力モジュールに対して出力コマンドを送信させる。出力モジュールは、受信した出力コマンドを電子原稿ライタ１０２によって電子原稿形式のデータに変換し、出力する（ステップＳ９０２）。その出力先はステップＳ９０１で開いた電子原稿ファイルである。指定されたデータ全てについて変換が終了したか判定し（ステップＳ９０３）、終了していれば電子原稿ファイルを閉じる（ステップＳ９０４）。電子原稿ライタ１０２によって生成される電子原稿ファイルは、図３の（Ｂ）に示される原稿ページデータの実体を含むファイルである。
【００４７】＜ブックファイルの編集＞以上のようにして、アプリケーションデータからブックファイルを作成することができる。
生成されたブックファイルについては、章及びページに対して次のような編集操作が可能である
（１）
新規追加
（２）
削除
（３）
コピー
（４）
切り取り
（５）
貼り付け
（６）
移動
（７）
章名称変更
（８）
ページ番号名称振り直し
（９）
表紙挿入
（１０）
合紙挿入
（１１）
インデックス紙挿入
（１２）
各原稿ページに対するページレイアウト
【００４８】このほか、一旦行った
編集操作を取り消す操作
取り消した操作をやり直す操作
編集機能により、例えば複数のブックファイルの統合、ブックファイル内で章やページの再配置、ブックファイル内で章やページの削除、原稿ページのレイアウト変更、合紙やインデックス紙の挿入などの編集操作が可能
これらの操作を行うと、図４、図５に示す属性に操作結果が反映されたり、あるいはブックファイルの構造に反映される。例えば、ブランクページの新規追加操作を行えば、指定された箇所にブランクページが挿入される。このブランクページは原稿ページとして扱われる。また、原稿ページに対するレイアウトを変更すれば、その変更内容は、印刷方法やＮ−ｕｐ印刷、表紙／裏表紙、インデックス紙、合紙、章区切りといった属性に反映される
　
（１０）「【００４９】＜ブックファイルの出力＞以上のように
作成・編集されるブックファイル
印刷出力を最終目的とする
利用者が
製本アプリケーションのＵＩ画面１１００からファイルメニューを選択し、そこから印刷を選択すると、指定した出力デバイスにより印刷出力され
この際、まず製本アプリケーション１０４は、現在開かれているブックファイルからジョブチケットを作成し、そのジョブチケットを電子原稿デスプーラ１０５に渡す。一方、電子原稿デスプーラ１０５は、ジョブチケットをＯＳの出力コマンド、例えばウインドウズのＧＤＩ関数に変換し、それを出力モジュール、例えばＧＤＩに送信する。出力モジュールは、指定されたプリンタドライバ１０６によってデバイスに適したコマンドを生成し、そのデバイスに送信する
【００５０】ここで、ジョブチケットは
原稿ページを最小単位とする構造を有するデータである
用紙上における原稿ページのレイアウトを定義している
１ジョブにつき１つ発行
【００５１】電子原稿デスプーラ１０５は、上述のジョブチケットを、出力モジュールへの出力コマンドに変換する。」
　
（１１）「【００５７】＜プレビュー表示の内容＞既に説明した通り、ブックファイルが製本アプリケーションによって開かれると、図１０に示したユーザインタフェース画面１１００が表示される。ツリー部１１０１には、開いているブック（以下、「注目ブック」と呼ぶ）の構造を示すツリーが表示される。プレビュー部には、利用者の指定に応じて、３通りの表示方法が用意されている。まず、第１は原稿ページをそのまま表示する原稿ビューと呼ばれるモードである。この原稿ビューモードでは、注目ブックに属する原稿ページの内容が縮小されて表示される。尚、プレビュー部１１０２の表示にレイアウトは反映されない。次に、第２は印刷ビューモードである。この印刷ビューモードでは、プレビュー部１１０２には原稿ページのレイアウトが反映された形で原稿ページが表示される。そして、第３は簡易印刷ビューモードである。この簡易印刷ビューモードでは、各原稿ページの内容はプレビュー部の表示には反映されず、レイアウトのみが反映される。 」
　
（１２）「【００５８】＜ステイプル制御＞次に、ステイプル機能を有するプリンタと接続するコンピュータ１００の製本アプリケーション１０４によって行われるステイプル制御について説明する。
【００５９】図１３は、ステイプル制御システムの構成を示すブロック図である。図示するように、ステイプル制御システムは、図２に示したホストコンピュータ１００とステイプル機能を有するプリンタ１０７とで構成される。
【００６０】以下、プリンタ１０７の構成について説明する。尚、本発明の機能が実現されるのであれば、単体の機器であっても、複数の機器からなるシステムであっても、ＬＡＮ，ＷＡＮ等のネットワークを介して接続がなされ、処理が行われるシステムであっても本発明を適用できる。
【００６１】図示するように、プリンタ１０７において、１３０１は
プリンタＣＰＵであり、ＲＯＭ１３０２内のプログラム用ＲＯＭに記憶された制御プログラム等
に基づいてシステムバス１３０４に接続される印刷部Ｉ／Ｆ１３０５を介して、印刷部（プリンタエンジン）１３０６に出力情報としての画像信号を出力する
ＲＯＭ１３０２内のプログラムＲＯＭ
ハードディスク等の外部メモリ１３０３
【００６２】また、ＣＰＵ１３０１は、
入力部１３０７を介してホストコンピュータ１００との通信処理が可能となって
ＣＰＵ１３０１の主メモリや、ワークエリア等として機能するＲＡＭ
【００６３】尚、ＲＡＭ１３０８は、出力情報展開領域、環境データ格納領域、ＮＶＲＡＭ等に用いられる。上述したハードディスク（ＨＤ）、ＩＣカード等の外部メモリ１３０３は、メモリコントローラ（ＭＣ）１３０９によりアクセスを制御される。外部メモリ１３０３は、オプションとして接続され、フォントデータ、エミュレーションプログラム、フォームデータ等を記憶する。また、
操作パネル１３１１は操作のためのスイッチ及びＬＥＤ表示器等で構成されている
【００６４】また、上述の外部メモリ１３０３は１個に限らず、複数個備えられ、内蔵フォントに加えてオプションカード、言語系の異なるプリンタ制御言語を解釈するプログラムを格納した外部メモリを複数接続できるように構成されていても良い。更に、図示しないＮＶＲＡＭを有し、操作パネル１３１１からのプリンタモード設定情報を記憶するようにしても良い。
【００６５】図１４は、製本アプリケーション１０４が表示するユーザインタフェース（ＵＩ）画面を示す図である。既に説明したように、製本アプリケーション１０４は文書のページ順の入れ替えや複製、削除などの編集に加えて、ステイプルなどの印刷装置の機能設定も行うことができ、指定した印刷装置に印刷することが可能である。図１４に示す左側の領域１４０１には、文書の構造を示すツリービューが表示されている。文書は章の集合で構成されており、各章は原稿ページの集合で構成されている。また、右側の領域１４０２には、各ページの印刷プレビューが表示されている。
【００６６】図１５は、
製本アプリケーション１０４による「文書の詳細設定」
仕上げシート１５０２
ステイプルの指定
【００６７】図１６は、図１５に示したステイプルの指定欄で選択可能な選択肢を示す図である。図１６において、「しない」１６０１はステイプル機能を利用しないことを意味する。「全ページまとめて」１６０２は、文書全体を一つのステイプルで綴じることを意味する。「章単位で」１６０３は、各章毎にステイプルで綴じることを意味する。このように、文書全体をステイプルする指示に加えて、文書の部分である章毎にステイプルを指示することが可能である。
図１４に示した文書
「章単位で」１６０３を選択した場合
１章の８ページ、２章の４ページ、３章の４ページがそれぞれステイプルされる
【００６８】図１７は、製本アプリケーション１０４による「章の詳細設定」を示す図である。「章の詳細設定」ウインドウは、図１４に示したＵＩ画面の左側１４０１に表示されたツリービューの章のアイコンが選択された状態で、「章の詳細設定」メニュー、あるいはツールバー上の「章の詳細設定」ボタンから起動可能に構成されている。このウインドウも「文書の詳細設定」ウインドウと同様に、ページ設定１７０１、仕上げ１７０２、編集１７０３、給紙１７０４の４つのシートから構成されており、この例では仕上げシート１７０２が表示された状態を示している。この「章の詳細設定」の設定項目は、「文書の詳細設定」の設定項目の内、章毎に変更を行える設定項目から構成されている。ここで、「章の詳細設定」ウインドウの初期状態では、各シートに用意された「（シートの名称）シートの設定を文書に合わせる」（括弧の部分には、各シートの名称が入る）のチェックボックスがオンになっており、章の詳細設定の各項目は、文書の詳細設定で指定された各項目の設定と一致した指定がなされた状態でグレー表示され、変更不可の状態となっている。尚、「（シートの名称）シートの設定を文書に合わせる」のチェックボックスをオフにすると、章の詳細設定の各項目は変更可能な状態に変化する。
【００６９】また、図１５に示した「文書の詳細設定」ウインドウで「ステイプルの指定」として図１６に示すように「全ページまとめて」１６０２を指定した場合には、文書を一まとめにステイプルする指示が文書に対して指定されているため、章の詳細設定で章毎の設定を変更することはできないようになっている。即ち、「章の詳細設定」ウインドウの「仕上げシートの設定を文書に合わせる」のチェックボックスはオン（審決注：「オフ」は「オン」の明らかな誤記であるので訂正して摘記した。）でグレー表示されており、変更不可の状態になっている。また、その下に表示されている「ステイプルする」のチェックボックスもオン（審決注：「オフ」は「オン」の明らかな誤記であるので訂正して摘記した。）でグレー表示されており、変更不可である。
【００７０】一方、図１５に示した「文書の詳細設定」ウインドウで「ステイプルの指定」として「章単位で」１６０３を指定した場合には、「章の詳細設定」ウインドウの「仕上げシートの設定を文書に合わせる」のチェックボックスはオン（審決注：「オフ」は「オン」の明らかな誤記であるので訂正して摘記した。）になっており、その下に表示されている「ステイプルする」のチェックボックスはオン（審決注：「オフ」は「オン」の明らかな誤記であるので訂正して摘記した。）でグレー表示されている。この場合、「仕上げシートの設定を文書に合わせる」のチェックボックスをオフ（審決注：「オン」は「オフ」の明らかな誤記であるので訂正して摘記した。）にすることで、「ステイプルする」のチェックボックスが変更可能となり、「ステイプルする」のチェックボックスをオフにすると、この章のみステイプルをオフに変更することができる。
【００７１】更に、図１５に示した「文書の詳細設定」ウインドウで「ステイプルの指定」として「しない」１６０１を指定した場合には、ステイプルしない指示が文書に対して指定されているため、章の詳細設定で章毎の設定を変更することはできないようになっている。即ち、「章の詳細設定」ウインドウの「仕上げシートの設定を文書に合わせる」のチェックボックスはオン（審決注：「オフ」は「オン」の明らかな誤記であるので訂正して摘記した。）でグレー表示されており、変更不可の状態になっている。また、その下に表示されている「ステイプルする」のチェックボックスもオフでグレー表示されており、変更不可である。尚、文書の設定がステイプルしないに設定されている場合、章の詳細設定でステイプル指定の変更を不可としている例を示したが、文書のステイプルの指定が「章単位で」が指定されているときと同様に、章毎のステイプル指定の変更を可能に構成することも可能である。
【００７２】このように、
ユーザは、文書中でステイプル範囲を指定する場合には、ステイプルされる部分のページの集合を一つの章になるように文書を編集し、「文書の詳細設定」ウインドウで「ステイプルの指定」に「章単位で」を指定することにより章毎のステイプルを指定することができる
　
（１３）「【００７３】図１８は、製本アプリケーション１０４が扱う
ブックファイル１０３のデータ構造
フィールド１８０１
文書の構造に関する情報を記録する
フィールド１８０３
章の詳細設定情報であ
フィールド１８０４
ページの詳細設定情報であ
フィールド１８０５は原稿情報であり、各原稿ページの描画情報を記録し
その他文書毎に必要な情報が含まれている
【００７４】図１９は、図１８に示したフィールド１８０２の文書の詳細設定情報を更に詳細に示す図である。図１９において、フィールド１９０１は文書のページ設定情報、フィールド１９０２は文書の仕上げ情報、フィールド１９０３は文書の編集情報、フィールド１９０４は文書の給紙情報をそれぞれ格納し、これらの情報は図１５に示した文書の詳細設定ウインドウにおけるページ設定１５０１、仕上げ１５０２、編集１５０３、給紙１５０４の各シートにおいて設定した内容と一致している。
【００７５】図２０は、図１９に示したフィールド１９０２の文書の仕上げ情報を更に詳細に示す図である。図２０において、フィールド２００１は印刷方法、フィールド２００２はとじ方向、フィールド２００３はとじ幅、フィールド２００４は原稿の調整、フィールド２００５はステイプルの指定、フィールド２００６はステイプルの位置、フィールド２００７はパンチ穴、フィールド２００８はＺ折り、フィールド２００９は章の区切り、フィールド２０１０はその他の設定をそれぞれ格納し、これらの情報は図１５に示した文書の詳細設定ウインドウにおける仕上げ１５０２シートにおいて設定した内容と一致している。
【００７６】尚、フィールド２０１０には、例えば印刷方法２００１で製本印刷を指定した場合に必要となる不図示の設定（中綴じ、中央綴じ代など、製本印刷時のみ有効な設定）などが含まれるが、ここでは説明を省略する。
【００７７】図２１は、図１８に示したフィールド１８０３の章の詳細設定情報を更に詳細に示す図である。図２１に示すように、フィールド２１０１には順に各章の詳細設定情報が格納される。
【００７８】図２２は、図２１に示した各章の詳細設定情報を更に詳細に示す図である。図２２において、フィールド２２０１は章のページ設定情報、フィールド２２０２は章の仕上げ情報、フィールド２２０３は章の編集情報、フィールド２２０４は章の給紙情報をそれぞれ格納し、これらの情報は図１７に示した章の詳細設定ウインドウにおけるページ設定１７０１、仕上げ１７０２、編集１７０３、給紙１７０４の各シートにおいて設定した内容と一致している。
【００７９】図２３は、図２２に示したフィールド２２０２の章の仕上げ情報を更に詳細に示す図である。図２３において、フィールド２３０１は「仕上げシートの設定を文書に合わせる」、フィールド２３０２は「ステイプルする」の各設定を格納し、これらの情報は図１７に示した章の詳細設定ウインドウにおける仕上げ１７０２シートにおいて設定した内容と一致している。」
　
（１４）「【００８０】ここで、ユーザが製本アプリケーション１０４のＵＩ画面からブックファイルの属性を編集中にステイプル属性を決定する処理について説明する。
【００８１】図２４は、製本アプリケーション１０４による設定処理を示すフローチャートである。まず、ステップＳ２４０１において、
製本アプリケーション１０４は、編集中のブックファイル１０３に含まれる文書の詳細設定情報を取得し、
取得した文書の詳細設定情報に含まれるステイプルの指定が「全ページまとめて」であるか否かを判定
ステイプルの指定が「全ページまとめて」でない
ステイプル属性をオフと
ジョブ開始を発行し、
ジョブのステイプル属性を含むジョブ属性を発行
【００８２】次に、ステップＳ２４０７において、
ブックファイル１０３に含まれる全ての章の数を変数Ｎにセットし、章の変数Ｋを“０”に初期化
ステップＳ２４０８において、全ての章について処理を終了した（Ｋ＝Ｎ）か否かを判定
終了していなければ
変数Ｋをインクリメントし、
【００８３】ステップＳ２４１０において、
文書の詳細設定のステイプルの指定が「章単位で」になっているか判定
「章単位で」になっていれば
現在印刷処理中であるＫ番目の章の詳細設定情報を取得
取得したＫ番目の章の詳細設定情報に含まれる「仕上げシートの設定を文書に合わせる」の設定がオンであるか否かを判定する。ここで、設定がオンであれば、文書の属性でステイプル属性を章単位で指定
し
ステップＳ２４１４へ進み、バインダーのステイプル属性をオンにセットする
【００８４】また、ステップＳ２４１２において、設定がオフであればステップＳ２４１３へ進み、章の詳細設定の「ステイプルする」の設定がオンであるか否かを判定する。ここで、設定がオンの場合には、現在の章を章単位でステイプルすることを意味するので、ステップＳ２４１４へ進み、バインダーのステイプル属性をオンにセットする。また、設定がオフの場合には、章毎にステイプルするという文書の属性を変更し、現在の章をステイプルしないことを意味するので、ステップＳ２４１５へ進み、バインダーのステイプル属性をオフにセットする。
【００８５】上述のステップＳ２４１４又はＳ２４１５において、バインダーのステイプル属性の決定が終了すると、ステップＳ２４１６へ進み、
バインダー開始を発行し、
バインダーのステイプル属性を含むバインダー属性を発行
そして、ステップＳ２４１８において、Ｋ番目の章に含まれる各ページの描画情報を図１８に示すフィールド１８０５の原稿情報から読み出し、電子原稿デスプーラ１０５によって印刷処理を実行
そして、ステップＳ２４１９において、バインダー終了を発行し、Ｋ番目の章の印刷処理を終了する
ステップＳ２４０８に戻り、全ての章について印刷処理が終了したか否かを判定し、Ｋ＝Ｎでなければ上述の処理を繰り返し、Ｋ＝Ｎであれば全ての章の印刷処理が終了したことになり、ステップＳ２４２０へ進み、ジョブ終了を発行し、ブックファイル１０３の印刷処理を終了する
電子原稿デスプーラに描画データの生成をさせる処理と、ＯＳを介してプリンタドライバに印刷データ（印刷ジョブ）の生成を行わせる処理
　
（１５）「【００８６】次に、図２４に示す処理が、製本アプリケーション１０４、プリンタドライバ１０６、プリンタ１０７の間でどのように制御されるかについて、図２５を参照して以下に説明する。
【００８７】図２５は、製本アプリケーション１０４、プリンタドライバ１０６、プリンタ１０７の間の印刷シーケンスを示す図である。まず製本アプリケーション１０４は、図２４に示した
ステップＳ２４０５及びＳ２４０６の処理でＯＳの印刷処理手順に従い、
CreateDC(), StartDoc()など、印刷ジョブを生成する処理を実行する
この処理は、ＧＤＩを経由してプリンタドライバ１０６に通知され、プリンタドライバ１０６はジョブ生成処理、及びジョブ属性設定処理を行
ジョブの開始、ステイプル設定を含むジョブの属性をプリンタ１０７へ指示するコマンドを生成し、プリンタ１０７へデータを送信するためのＯＳの手続きを経て、プリンタ１０７へコマンドが送信され
【００８８】次に、製本アプリケーション１０４は、図２４に示したステップＳ２４１６の
バインダー開始の発行処理でExtEscape (BINDER_START)を実行し、プリンタドライバ１０６へ独立したフィニッシング属性を指定可能なバインダーの開始を通知
次のResetDC()では、バインダー属性をプリンタドライバ１０６へ通知
章のステイプル設定を含む
プリンタドライバ１０６は、これらの処理を受けて、プリンタ１０７に対してバインダーが開始されたことを通知するバインダー生成処理及びバインダー属性設定処理を行
ステイプル設定を含むバインダーの属性をプリンタ１０７へ指示するコマンドを生成し、プリンタ１０７へデータを送信するためのＯＳの手続きを経て、プリンタ１０７へコマンドが送信
【００８９】その後、製本アプリケーション１０４は、図２４に示した
ステップＳ２４１８の処理でバインダーに含まれる各ページの描画内容、即ち、現在の章に含まれる各原稿ページの描画内容をＧＤＩを通じてプリンタドライバ１０６へ通知する
プリンタドライバ１０６はＧＤＩからＤＤＩに変換された形で描画内容を受け取り、ＰＤＬ等のプリンタが解釈可能な描画命令に変換してプリンタ１０７へ送信
【００９０】次に、製本アプリケーション１０４は、
現在のバインダーが終了し、次のバインダーが開始することを、ExtEscape(BINDER_END)及びExtEscape(BINDER_START)によってプリンタドライバ１０６へ通知す
【００９１】このように、製本アプリケーション１０４は、章の数だけ上述の処理を繰り返し、最後に製本アプリケーション１０４は、図２４に示したステップＳ２４２０で
ＯＳの印刷処理手順に従い、
EndDoc()など印刷ジョブを終了する処理を実行
この処理は、ＧＤＩを経由してプリンタドライバ１０６に通知され、プリンタドライバ１０６がジョブ終了処理を行う。具体的には、ジョブの終了をプリンタ１０７へ指示するコマンドを生成し、プリンタ１０７へデータを送信するためのＯＳの手続きを経てプリンタ１０７へコマンドが送信され
【００９２】尚、ここでは、製本アプリケーション１０４がＧＤＩ経由でプリンタドライバ１０６へ通知する手段として、ExtEscape()やResetDC()といった具体的なＡＰＩを例として挙げたが、製本アプリケーション１０４とプリンタドライバ１０６が同期して印刷処理を実行できるのであれば、このＡＰＩ以外の手段を用いても同様の処理が実現可能なことは言うまでもない。
【００９３】
このような処理により、文書及び章に対してステイプルの設定がなされた文書を、１つの印刷ジョブとしてプリンタ１０７へ送信することができ
【００９４】一方、
プリンタ１０７では、図２５に示すSetJobで受け取ったジョブ属性設定に
JobEndを受け取る
ジョブに対してステイプル指示がなく、各SetBinderで受け取ったバインダー属性設定にバインダーに対するステイプル指示が含まれていた場合には、BinderEndを受け取るまでのそのバインダーに含まれる全てのページを一まとめにステイプルする処理を行
【００９５】このようにして、本実施形態によれば、印刷ジョブを一まとめにステイプル、あるいは
印刷ジョブの部分に対するステイプル処理を行うことが可能
【００９６】本実施形態によれば、文書中の任意の部分に対してステイプル指示を行うことが可能となる。これにより、一つの文書を複数の部分に分けてステイプルしたり、文書の一部分のみをステイプルしたりすることが可能となる。
【００９７】また、複数のジョブをジョブバインドして１つのジョブにすることで、複数のステイプル処理を１つの印刷ジョブで実現することが可能となる。これにより、手間がかからないだけでなく、複数のステイプル処理を含む印刷実行時に印刷の中止やステータス表示などの印刷ジョブ制御を行う場合にも、通常の印刷ジョブと同様に、１つの印刷ジョブを対象に実施することが可能となる。また、ネットワークに接続する共有プリンタでも、他の印刷ジョブが間に割り込むこともなくなる。」
　
（１６）「【０１０４】
【発明の効果】以上説明したように、本発明によれば、ユーザが文書中の任意の部分に対してステイプル指示を行うことができる。また、複数のステイプル処理を１つの印刷ジョブで実現できる。」
　
（１７）図１０、図１４の記載から、章の番号は、算用数字を用いて「１章、２章、３章、…」といったように表現され、ページの番号は、算用数字とハイフン（−）を用いて「章の番号−章内のページ番号」の形式で、「１−１、１−２、…２−１、２−２、…、３−１、３−２、…」といったように表現されていることが見て取れる。ここで、図１０のツリー部１１０１の「□３章」の左隣のノード表示のような記号は「＋」となっているが、この「＋」の表示をクリックなどすると、図１４の左側の領域１４０１の「□３章」の左隣のノード表示のような記号「−」と同様に「−」の表示に変わり、図１４と同様に、「３−１、３−２」などのページが表示されることが当業者に明らかである。
　また、図１４の記載から、図１４に示した文書は、「１−１、１−２、…、１−８、２−１、２−２、…２−４、３−１、３−２、…３−４」のページ番号の全１６ページであって、３つの章からなり、１章は、それぞれ、「１−１、１−２、…、１−８」のページ番号からなる８ページ、２章は、それぞれ、「２−１、２−２、…２−４」のページ番号からなる４ページ、３章は、それぞれ、「３−１、３−２、…３−４」のページ番号からなる４ページから構成されていることが見て取れる。
　
（１８）上記（１）ないし（１７）からみて、引用例には、
「従来の文書処理システムを用いて、ステイプルを施して複数部印刷するには、プリンタ等の印刷装置に対して１部の印刷を実行し、得られた印刷物を原稿として、ステイプル可能な複写機でステイプル指示及び部数を指定してコピーする作業が必要であるという問題点があり、
　最近では、情報処理装置から文書の印刷を行う際に、ステイプルを直接指示できるプリンタや複写機などの印刷装置も実用化されているが、利用者が各種アプリケーションによって印刷物を組み合わせて一つの目的文書を作成する場合、ページ番号を各ページに振るためには、一旦必要なデータをすべて印刷出力し、文書としてまとめてから付すべきページ番号を決定する必要があり、各アプリケーションによって、そのアプリケーションで作成された原稿の各ページ（これを‘原稿ページ’と呼ぶ）毎に、決定されたページ番号を書き込まなければならないという問題点があり、
　アプリケーションプログラムがページ番号を振る機能を有している場合であっても、不連続部分があればその部分についてはやはり利用者がページ番号を指定しなければならないという問題点があり、
　データの種類毎にそれらを管理できるアプリケーションが異なることにより、アプリケーション間のインタフェースを利用者自身が人手によって提供しなければならず、このことは、利用者に多大な労力が要求されるということであり、生産性の低下をもたらし、更に、多くの人手を介することにより、エラーの発生も生じやすいという問題点があり、
　各種アプリケーションによって形成する一つのプログラムであり、各アプリケーションで生成されたデータを組み合わせ、一つの文書を構成する機能を提供する統合アプリケーションを利用して、目的文書を作成する場合には、印刷出力せず、データの状態で各種データを配置することができるが、利用者が所望のアプリケーションを使用できるとは限らず、文書ファイルの一部について書式を設定しようとしてもアプリケーションの機能による制約が多いため、多くの労力が必要とされて生産性が低い点においては、前述した方法と変わりはないという問題点があり、
　従来のプリンタのステイプル制御では、文書中のどこからどこまでをステイプルする、といった指定はできなかったため、一つの文書を複数の部分に分けてステイプルしたり、文書の一部分のみをステイプルしたりすることはできないという問題点があり、
　アプリケーションの部分印刷機能を用いて、ステイプルする範囲の部分印刷を繰り返し実行する方法では、手間がかかるだけでなく、一つの文書を印刷する際、複数の印刷ジョブを発生させることとなり、印刷の中止やステータス表示などの印刷ジョブ制御を行うためには、通常の印刷ジョブとは異なり、複数の印刷ジョブを対象に実施する必要があるという問題点があり、
　また、ネットワークに接続された共有プリンタでは、他の印刷ジョブが間に割り込むことがあるという問題点があったので、
　ユーザが文書中の任意の部分に対してステイプル指示を行うことができ、かつ、複数のステイプル処理を１つの印刷ジョブで実現できるようにすることを目的とし、
　ステイプル機能を備えた印刷装置であるプリンタと、該印刷装置に接続する情報処理装置であるホストコンピュータとから構成し、
　文書を複数の部分に分けて、各部分に対してステイプルするか否かを指示する部分ステイプル指示を設定するための設定手段と、該設定手段により設定された部分ステイプル指示に応じて印刷データを生成する生成手段と、この生成された印刷データに基づき、前記文書の各部分に対してステイプルを施すステイプル手段とを有し、
　一般のアプリケーションによって作成されたデータファイルを電子原稿ファイルに変換する電子原稿ライタと、その電子原稿ファイルを編集する機能を提供する製本アプリケーションとを含み、
　作成されたデータを一まとめにした文書の作成及び編集を可能とし、その操作性を向上させて文書編集を効率的に行えるようにした文書処理システムであって、
　以後、前記電子原稿ライタによって作成されたファイルを‘電子原稿ファイル’と呼び、前記製本アプリケーションによって構造を与えられた電子原稿ファイルを‘ブックファイル’と呼び、前記一般のアプリケーションにより生成されるドキュメントファイルを‘文書データ’と呼ぶことにすると、
　前記プリンタは、入力部を介して前記ホストコンピュータとの通信処理が可能となっているプリンタＣＰＵ、プログラムＲＯＭ等を含むＲＯＭ、プリンタＣＰＵの主メモリやワークエリア等として機能するＲＡＭ、ハードディスク等の外部メモリ、プリンタエンジンである印刷部、操作のためのスイッチ及びＬＥＤ表示器等で構成されている操作パネルなどを備え、ＲＯＭ内のプログラム用ＲＯＭに記憶された制御プログラム等に基づいて、システムバスに接続される印刷部Ｉ／Ｆを介して、前記印刷部に出力情報としての画像信号を出力するものであり、
　前記一般のアプリケーションは、作成された文書データを印刷する際に、オペレーティングシステム（ＯＳ）によって提供されるＧＤＩ（Graphic Device Interface）と呼ばれる出力インタフェース、すなわち出力モジュールに対して、あらかじめ定められる、ＯＳに依存する形式の出力コマンド（ＧＤＩ関数と呼ばれる）を送信するものであり、
　前記出力モジュールは、出力コマンドを受けると、その出力コマンドをプリンタ等の出力デバイスが処理可能な形式に変換して、変換されたコマンド（ＤＤＩ関数と呼ばれる）を出力するものであり、
　前記電子原稿ライタは、本文書処理システム実現のために提供されるソフトウェアモジュールであり、前記製本アプリケーションや後述するプリンタドライバにより処理可能な電子原稿形式と呼ぶ形式に出力コマンドを変換するものであって、前記一般のアプリケーションから該電子原稿ライタを利用させる場合には、出力に使用するデバイスドライバとして該電子原稿ライタを指定してから印刷を実行させるようになっているものであり、
　前記製本アプリケーションによって与えられるブックファイルの前記データ構造は、文書の構造に関する情報を記録するフィールド１８０１、章の詳細設定情報であるフィールド１８０３、ページの詳細設定情報であるフィールド１８０４、原稿情報である各原稿ページの描画情報を記録したフィールド１８０５及びその他文書毎に必要な情報が含まれているものであり、
　前記一般のアプリケーションにより、前記デバイスドライバとして前記電子原稿ライタを指定して、文書データを印刷させることで、該文書データを、該一般のアプリケーションによって定義されたページ（以後‘原稿ページ’と呼ぶ）を単位とする電子原稿形式に変換し電子原稿ファイルとして前記ハードディスクなどの記憶媒体に格納し、前記製本アプリケーションによって編集されたブックファイルを印刷する際には、後述するプリンタドライバへ描画データを出力するために使用されるプログラムモジュールである電子原稿デスプーラを起動し、該電子原稿デスプーラが、指定されたブックファイルを前記ハードディスクから読み出し、ブックファイルに記述された形式で各ページを印刷するために、前記出力モジュールに適合する出力コマンドを生成して前記出力モジュールに出力し、出力デバイスとして使用されるプリンタ用のプリンタドライバがデバイスドライバとして指定されれていると、前記出力モジュールが、受信した出力コマンドをデバイスコマンドに変換して指定されたプリンタ用のプリンタドライバに出力し、そのプリンタドライバがプリンタで解釈実行可能なページ記述言語等のコマンドに変換し、変換されたコマンドをシステムスプーラを介して前記プリンタに送信し、該プリンタがコマンドに応じた画像を紙媒体等に印刷出力する文書処理システムであって、
　前記ブックファイルのデータ形式は、‘ブック’と呼ばれる上位層、‘章’と呼ばれる中間層、アプリケーションプログラムで定義された各ページに相当する‘ページ’である下位層からなる３層の層構造を有し、一つのブックファイルは一つのブックを含み、一つのブックは複数の章を含んでいてよく、また一つの章は複数のページを含むことができ、ブック，章は、定義された属性値と下位層へのリンクとをその実体として含み、ページは、属性値のほかに、原稿ページの実体（原稿ページデータ）と各原稿ページデータへのリンクを含むことで、アプリケーションプログラムによって出力されたページ毎のデータを実体として有しており、
　前記製本アプリケーションによりブックファイルを開く際には、
　まず、開こうとするブックファイルが、新規作成すべきものであるか、それとも既存のものであるか判定し、
　新規作成の場合には、章を含まないブックファイルを新規に作成するとともに新規ブックファイルを編集するためのユーザインタフェース（ＵＩ）画面を表示し、
　一方、既存のブックファイルの場合には、指定されたブックファイルを開き、そのブックファイルの構造、属性、内容に従ってユーザインタフェース（ＵＩ）画面を表示し、該ＵＩ画面は、ブックの構造を示すツリー部と、印刷された状態を表示するプレビュー部とを含み、ツリー部には、ブックに含まれる‘１章、２章、３章、…’といった章、各章に含まれる‘１−１、１−２、…２−１、２−２、…、３−１、３−２、…’といった原稿ページである‘章の番号−章内のページ番号’の形式のページが木構造で表示され、プレビュー部には、印刷ページの内容が縮小されてブックの構造を反映した表示順序で表示されるようになっており、
　前記製本アプリケーションは、印刷出力を最終目的とするブックファイルを作成・編集するものであって、開かれた前記ブックファイルに、前記電子原稿ライタによって電子原稿ファイルに変換された文書データを、新たな章として追加することができる、電子原稿インポート機能と呼ぶ機能を有しており、また、生成されたブックファイルについて、章及びページに対して、‘新規追加、削除、コピー、切り取り、貼り付け、移動、章名称変更、ページ番号名称振り直し、表紙挿入、合紙挿入、インデックス紙挿入、各原稿ページに対するページレイアウト’のような編集操作、編集操作を取り消す操作及び取り消した操作をやり直す操作が可能である編集機能も有しており、該編集機能により、例えば複数のブックファイルの統合、ブックファイル内で章やページの再配置、ブックファイル内で章やページの削除、原稿ページのレイアウト変更、合紙やインデックス紙の挿入などの編集操作が可能であり、該操作結果は、ブック属性や章属性に反映され、あるいはブックファイルの構造に反映され、例えば、ブランクページの新規追加操作を行えば、指定された箇所にブランクページが挿入され、このブランクページは原稿ページとして扱われ、また、原稿ページに対するレイアウトを変更すれば、その変更内容は、印刷方法やＮ−ｕｐ印刷、表紙／裏表紙、インデックス紙、合紙、章区切りといった属性に反映されるようになっており、
　ユーザ（利用者）が前記製本アプリケーションの前記ＵＩ画面からファイルメニューを選択し、そこから印刷を選択することにより、指定した出力デバイスに印刷出力させることができ、その際、前記製本アプリケーションが、現在開かれているブックファイルから用紙上における原稿ページのレイアウトを定義している原稿ページを最小単位とする構造を有するデータであるジョブチケットを１ジョブにつき１つ作成して発行し、そのジョブチケットを前記電子原稿デスプーラに渡し、前記電子原稿デスプーラが、ジョブチケットをＯＳの出力コマンド（ＧＤＩ関数）に変換し、それを出力モジュール（ＧＤＩ）に送信し、前記出力モジュールは、指定されたプリンタドライバによってデバイスに適したコマンドを生成し、そのデバイスに送信するようになっている文書処理システムにおいて、
　文書中でステイプル範囲を指定する場合には、ユーザ（利用者）が、前記製本アプリケーションにより、ステイプルされる部分のページの集合を一つの章になるように文書を編集し、‘文書の詳細設定’ウインドウで‘ステイプルの指定’に‘章単位で’を指定することにより、章毎のステイプルを指定することができるように、例えば、印刷出力するブックファイルが、‘１−１、１−２、…、１−８、２−１、２−２、…２−４、３−１、３−２、…３−４’のページ番号の全１６ページであって、３つの章からなり、１章は、それぞれ、‘１−１、１−２、…、１−８’のページ番号からなる８ページ、２章は、それぞれ、‘２−１、２−２、…２−４’のページ番号からなる４ページ、３章は、それぞれ、‘３−１、３−２、…３−４’のページ番号からなる４ページから構成されている文書である場合に、ユーザ（利用者）が、前記製本アプリケーションによる‘文書の詳細設定’の‘仕上げシート’の‘ステイプルの指定’の欄で、‘章単位で’を選択すれば、１章の８ページ、２章の４ページ、３章の４ページのそれぞれをステイプルでき、この場合、前記製本アプリケーションは、編集中のブックファイルに含まれる文書の詳細設定情報を取得し、取得した文書の詳細設定情報に含まれるステイプルの指定が‘全ページまとめて’であるか否かを判定し、ステイプルの指定が‘全ページまとめて’でないので、ステイプル属性をオフとし、ジョブ開始及びジョブのステイプル属性を含むジョブ属性を発行し、CreateDC(), StartDoc()など、印刷ジョブを生成する処理を実行し、この処理は、ＧＤＩを経由してプリンタドライバに通知され、前記プリンタドライバは、ジョブ生成処理及びジョブ属性設定処理を行い、ジョブの開始、ステイプル設定を含むジョブの属性をプリンタへ指示するコマンドを生成し、プリンタへデータを送信するためのＯＳの手続きを経て、前記プリンタへコマンドを送信し、前記製本アプリケーションは、ブックファイルに含まれる全ての章の数を変数Ｎにセットし、章の変数Ｋを“０”に初期化し、ステップＳ２４０８において全ての章について処理を終了した（Ｋ＝Ｎ）か否かを判定し、終了していないので変数Ｋをインクリメントし、文書の詳細設定のステイプルの指定が‘章単位で’になっているか判定し、‘章単位で’になっているので、現在印刷処理中であるＫ番目の章の詳細設定情報を取得し、取得したＫ番目の章の詳細設定情報に含まれる‘仕上げシートの設定を文書に合わせる’の設定がオンであるか否かを判定し、設定がオンであるので、文書の属性でステイプル属性を章単位で指定し、ステップＳ２４１４へ進み、バインダーのステイプル属性をオンにセットし、バインダー開始を発行し、前記バインダー開始の発行処理でExtEscape (BINDER_START)を実行し、次に前記プリンタドライバへ独立したフィニッシング属性を指定可能なバインダーの開始を通知し、バインダーのステイプル属性を含むバインダー属性を発行し、ResetDC()で章のステイプル設定を含むバインダー属性を前記プリンタドライバへ通知し、前記プリンタドライバは、これらの処理を受けて、前記プリンタに対してバインダーが開始されたことを通知するバインダー生成処理及びバインダー属性設定処理を行い��ステイプル設定を含むバインダーの属性をプリンタへ指示するコマンドを生成し、プリンタへデータを送信するためのＯＳの手続きを経て、前記プリンタへコマンドを送信し、前記プリンタでは、SetJobで受け取ったジョブ属性設定にジョブに対してステイプル指示がなく、各SetBinderで受け取ったバインダー属性設定にバインダーに対するステイプル指示が含まれているので、BinderEndを受け取るまでのそのバインダーに含まれる全てのページを一まとめにステイプルする処理を行うことが可能となり、そして、前記製本アプリケーションは、ステップＳ２４１８において、Ｋ番目の章に含まれる各ページの描画情報を前記フィールド１８０５の原稿情報から読み出し、前記電子原稿デスプーラによって印刷処理を実行し、バインダーに含まれる各ページの描画内容、即ち、現在の章に含まれる各原稿ページの描画内容をＧＤＩを通じて前記プリンタドライバへ通知し、前記プリンタドライバは、ＧＤＩからＤＤＩに変換された形で描画内容を受け取り、ＰＤＬ等のプリンタが解釈可能な描画命令に変換して前記プリンタへ送信し、そして、前記製本アプリケーションは、ステップＳ２４１９においてバインダー終了を発行し、Ｋ番目の章の印刷処理を終了して、ステップＳ２４０８に戻り、全ての章について印刷処理が終了したか否かを判定し、Ｋ＝Ｎでなければ上述の処理を繰り返し、現在のバインダーが終了し次のバインダーが開始することを、ExtEscape(BINDER_END)及びExtEscape(BINDER_START)によって、前記プリンタドライバへ通知し、前記ステップＳ２４０８でＫ＝Ｎであれば全ての章の印刷処理が終了したことになり、ジョブ終了を発行し、ＯＳの印刷処理手順に従い、EndDoc()など印刷ジョブを終了する処理を実行し、この処理は、ＧＤＩを経由して前記プリンタドライバに通知され、前記プリンタドライバがジョブ終了処理を行い、ジョブの終了をプリンタへ指示するコマンドを生成し、プリンタへデータを送信するためのＯＳの手続きを経て前記プリンタへコマンドを送信し、前記プリンタでJobEndを受け取り、文書及び章に対してステイプルの設定がなされた文書を、１つの印刷ジョブとして前記プリンタへ送信することができ、‘前記電子原稿デスプーラに描画データの生成をさせる処理’及び‘ＯＳを介してプリンタドライバに印刷データ（印刷ジョブ）の生成を行わせる処理’である‘ブックファイルの印刷処理’を終了するようにして、印刷ジョブの部分に対するステイプル処理を行うことができるようにした文書処理システム。」の発明（以下「引用発明」という。）が記載されているものと認められる。
　
４　対比
　本願発明と引用発明とを対比する。
（１）引用発明の「原稿ページ」、「文書データ」、「プリンタで解釈実行可能なページ記述言語等のコマンド」、「コマンドに応じた画像」、「紙媒体等」、「コマンドに応じた画像を紙媒体等に印刷出力する」、「ページ番号」、「プリンタ」、「プリンタが紙媒体等に画像を印刷出力した文書の各部分に対してステイプルを施す」、「ステイプル」、「ステイプル手段」、「文書処理システム」、「文書を複数の部分に分けて、各部分に対してステイプルするか否かを指示する」、「部分ステイプル指示を設定するための設定手段」及び「文書中でステイプル範囲を指定する」は、それぞれ、本願発明の「原稿ページ」、「原稿」、「画像データ」、「画像」、「記録媒体」、「画像を記録媒体上に形成する」、「ページ番号」、「画像形成手段」、「前記記録媒体に後処理を施す」、「後処理」、「後処理手段」、「画像形成装置」、「前記後処理の実行対象となる前記原稿ページの区分の指定」、「指定を受け付ける後処理区分設定入力手段」及び「後処理の実行対象となる前記原稿ページの区分を受け付け」に相当する。
　
（２）引用発明において、文書は、例えば、‘１−１、１−２、…、１−８、２−１、２−２、…２−４、３−１、３−２、…３−４’のページ番号の全１６ページであって、３つの章からなり、１章は、それぞれ、‘１−１、１−２、…、１−８’のページ番号からなる８ページ、２章は、それぞれ、‘２−１、２−２、…２−４’のページ番号からなる４ページ、３章は、それぞれ、‘３−１、３−２、…３−４’のページ番号からなる４ページから構成されているものであり、引用発明の「画像形成装置（文書処理システム）」では、一般のアプリケーションは、作成された「原稿（文書データ）」を印刷する際に、オペレーティングシステム（ＯＳ）によって提供されるＧＤＩ（Graphic Device Interface）と呼ばれる出力インタフェース、すなわち出力モジュールに対して、あらかじめ定められる、ＯＳに依存する形式の出力コマンド（ＧＤＩ関数と呼ばれる）を送信するものであり、前記一般のアプリケーションにより、デバイスドライバとして電子原稿ライタを指定して、「原稿」を印刷させることで、該「原稿」を、該一般のアプリケーションによって定義されたページ（以後‘原稿ページ’と呼ぶ）を単位とする電子原稿形式に変換し電子原稿ファイルとして前記ハードディスクなどの記憶媒体に格納し、製本アプリケーションによって編集されたブックファイルを印刷する際には、プリンタドライバへ描画データを出力するために使用されるプログラムモジュールである電子原稿デスプーラを起動し、該電子原稿デスプーラが、指定されたブックファイルを前記ハードディスクから読み出し、ブックファイルに記述された形式で各ページを印刷するために、出力モジュールに適合する出力コマンドを生成して前記出力モジュールに出力し、出力デバイスとして使用される「画像形成手段（プリンタ）」用のプリンタドライバがデバイスドライバとして指定されれていると、前記出力モジュールが、受信した出力コマンドをデバイスコマンドに変換して指定された「画像形成手段」用のプリンタドライバに出力し、そのプリンタドライバが「画像データ（プリンタで解釈実行可能なページ記述言語等のコマンド）」に変換し、変換された「画像データ（コマンド）」をシステムスプーラを介して前記「画像形成手段」に送信し、該「画像形成手段」が「画像データ（コマンド）」に応じた「画像」を「記録媒体上に形成（紙媒体等に印刷出力）」するようになっているから、引用発明の「画像形成手段」と本願発明の「画像形成手段」とは、「複数の原稿ページから成る原稿の画像データに基づいて画像を記録媒体上に形成する」点で一致する。
　
（３）引用発明の「後処理手段（ステイプル手段）」は、プリンタが紙媒体等に画像を印刷出力した文書の各部分に対してステイプルを施すものであるから、上記（１）に照らせば、本願発明の「後処理手段」と、「前記記録媒体に後処理を施す」ものである点で一致する。
　
（４）引用発明の「画像形成装置（文書処理システム）」は、プリンタと、ホストコンピュータとから構成され、設定手段と、ステイプル手段とを有するものであるから、上記（１）に照らせば、本願発明の「画像形成装置」と、「画像形成手段と、後処理手段とを有する」点及び「後処理区分設定入力手段を備える」点で一致する。
　
（５）引用発明の「後処理区分設定入力手段（設定手段）」は、文書を複数の部分に分けて、各部分に対してステイプルするか否かを指示する部分ステイプル指示を設定するためのものであるから、上記（１）に照らせば、本願発明の「後処理区分設定入力手段」と、「前記後処理の実行対象となる前記原稿ページの区分の指定を受け付ける」点で一致するといえる。
　
（６）引用発明の「画像形成装置（文書処理システム）」は、文書を複数の部分に分けて、各部分に対してステイプルするか否かを指示する部分ステイプル指示を設定手段で設定し、該設定手段により設定された部分ステイプル指示に応じて印刷データを生成手段で生成し、この生成された印刷データに基づき、前記文書の各部分に対してステイプル手段でステイプルを施し、一般のアプリケーションによって作成されたデータファイルを電子原稿ライタで電子原稿ファイルに変換し、その電子原稿ファイルを製本アプリケーションで編集することで、作成されたデータを一まとめにした文書の作成及び編集が可能なものであり、その操作性を向上させて文書編集を効率的に行えるようにしたものであるから、上記（１）に照らせば、本願発明の「前記ページ番号を印字させる指示を受け付け、且つ、前記後処理区分設定入力手段が後処理の実行対象となる前記原稿ページの区分を受け付けた場合、前記画像形成手段に、前記区分毎に開始番号が１に設定された連続番号を前記ページ番号として印字させる番号設定制御手段とを備える画像形成装置」と、「前記後処理区分設定入力手段が後処理の実行対象となる前記原稿ページの区分を受け付けた場合、前記画像形成手段に、前記区分毎に印字させる手段を備える」点で一致する。
　
（７）上記（１）ないし（６）からみて、本願発明と引用発明とは、
「複数の原稿ページから成る原稿の画像データに基づいて画像を記録媒体上に形成する画像形成手段と、前記記録媒体に後処理を施す後処理手段とを有する画像形成装置において、前記後処理の実行対象となる前記原稿ページの区分の指定を受け付ける後処理区分設定入力手段と、前記後処理区分設定入力手段が後処理の実行対象となる前記原稿ページの区分を受け付けた場合、前記画像形成手段に、前記区分毎に印字させる手段と、を備える画像形成装置。」の点で一致し、「本願発明では、前記画像形成手段が、画像を記録媒体上に形成すると共に、『前記記録媒体にページ番号を印字させる指示を受け付けた場合に前記記録媒体にページ番号を印字』させ、前記後処理区分設定入力手段が後処理の実行対象となる前記原稿ページの区分を受け付けた場合、前記画像形成手段に、前記区分毎に印字させる手段が、さらに『前記ページ番号を印字させる指示を受け付け』た場合に、前記画像形成手段に、『前記区分毎に開始番号が１に設定された連続番号を前記ページ番号として』印字させる『番号設定制御手段』であるのに対して、引用発明では、前記画像形成手段が、画像を記録媒体上に形成すると共に、前記記録媒体にページ番号も印字させることができるものかどうか明らかでなく、仮にページ番号も印字させることができるものであるとしても、前記後処理区分設定入力手段が後処理の実行対象となる前記原稿ページの区分を受け付けた場合、前記画像形成手段に、前記区分毎に印字させる手段が、さらに、前記ページ番号を印字させる指示を受け付けた場合に、前記画像形成手段に、前記区分毎に開始番号が１に設定された連続番号を前記ページ番号として印字させることができるかどうかも明らかでない。」点（以下「相違点」という。）で一応相違する。
　
５　当審の判断
　上記相違点について判断する。
（１）次のアないしオからみて、引用発明の「文書処理システム」は、「作成されたデータを一まとめにした文書の作成及び編集を可能とし、その操作性を向上させて文書編集を効率的に行えるようにした発明」であるとともに、「利用者が各種アプリケーションによって印刷物を組み合わせて一つの目的文書を作成する場合、ページ番号を各ページに振るためには、一旦必要なデータをすべて印刷出力し、文書としてまとめてから付すべきページ番号を決定する必要があり、各アプリケーションによって、そのアプリケーションで作成された原稿の各ページ（これを‘原稿ページ’と呼ぶ）毎に、決定されたページ番号を書き込まなければならないという問題点」及び「不連続部分があればその部分についてはやはり利用者がページ番号を指定しなければならないという問題点」も解決する発明であって、前記「画像形成手段」が、「画像を記録媒体上に形成する」と共に、「前記記録媒体にページ番号を印字させる」こともでき、前記「後処理区分設定入力手段が後処理の実行対象となる前記原稿ページの区分を受け付けた場合、前記画像形成手段に、前記区分毎に印字させる手段」が、さらに、前記「ページ番号を印字させる」指示を受け付けた場合に、前記「画像形成手段」に、前記「区分」毎に「開始番号が１に設定された連続番号を前記ページ番号」として印字させることができるものであると解される。
　ア　引用発明は、
「従来の文書処理システムを用いて、ステイプルを施して複数部印刷するには、プリンタ等の印刷装置に対して１部の印刷を実行し、得られた印刷物を原稿として、ステイプル可能な複写機でステイプル指示及び部数を指定してコピーする作業が必要であるという問題点があり、
　最近では、情報処理装置から文書の印刷を行う際に、ステイプルを直接指示できるプリンタや複写機などの印刷装置も実用化されているが、
利用者が各種アプリケーションによって印刷物を組み合わせて一つの目的文書を作成する場合、ページ番号を各ページに振るためには、一旦必要なデータをすべて印刷出力し、文書としてまとめてから付すべきページ番号を決定する必要があり、各アプリケーションによって、そのアプリケーションで作成された原稿の各ページ（これを‘原稿ページ’と呼ぶ）毎に、決定されたページ番号を書き込まなければならないという問題点
　アプリケーションプログラムがページ番号を振る機能を有している場合であっても、
不連続部分があればその部分についてはやはり利用者がページ番号を指定しなければならないという問題点
　データの種類毎にそれらを管理できるアプリケーションが異なることにより、アプリケーション間のインタフェースを利用者自身が人手によって提供しなければならず、このことは、利用者に多大な労力が要求されるということであり、生産性の低下をもたらし、更に、多くの人手を介することにより、エラーの発生も生じやすいという問題点があり、
　各種アプリケーションによって形成する一つのプログラムであり、各アプリケーションで生成されたデータを組み合わせ、一つの文書を構成する機能を提供する統合アプリケーションを利用して、目的文書を作成する場合には、印刷出力せず、データの状態で各種データを配置することができるが、利用者が所望のアプリケーションを使用できるとは限らなず、文書ファイルの一部について書式を設定しようとしてもアプリケーションの機能による制約が多いため、多くの労力が必要とされて生産性が低い点においては、前述した方法と変わりはないという問題点があり、
　従来のプリンタのステイプル制御では、文書中のどこからどこまでをステイプルする、といった指定はできなかったため、一つの文書を複数の部分に分けてステイプルしたり、文書の一部分のみをステイプルしたりすることはできないという問題点があり、
　アプリケーションの部分印刷機能を用いて、ステイプルする範囲の部分印刷を繰り返し実行する方法では、手間がかかるだけでなく、一つの文書を印刷する際、複数の印刷ジョブを発生させることとなり、印刷の中止やステータス表示などの印刷ジョブ制御を行うためには、通常の印刷ジョブとは異なり、複数の印刷ジョブを対象に実施する必要があるという問題点があり、
　また、ネットワークに接続された共有プリンタでは、他の印刷ジョブが間に割り込むことがあるという問題点があったので、
　ユーザが文書中の任意の部分に対してステイプル指示を行うことができ、かつ、複数のステイプル処理を１つの印刷ジョブで実現できるようにすること」を目的とした発明であること。
　イ　プリンタとホストコンピュータとから構成される文書処理システムにおいて、プリンタに、アプリケーションプログラムが振ったページ番号を、画像とともに又は画像の一部として印字させる機能を有しているものは本願出願前にワープロソフトなどとしてすでに一般常識であること。
　ウ　引用発明において、ブックファイルの構造、属性、内容に従って表示するユーザインタフェース（ＵＩ）画面のツリー部及びプレビュー部に表示されるページが、‘１−１、１−２、…２−１、２−２、…、３−１、３−２、…’といった原稿ページである‘章の番号−章内のページ番号’の形式のページであること。
　エ　引用発明の製本アプリケーションは、生成されたブックファイルについて、章及びページに対して、ページ番号名称振り直しの編集操作が可能である編集機能を有しており、該編集機能により、例えば複数のブックファイルの統合、ブックファイル内で章やページの再配置、ブックファイル内で章やページの削除、原稿ページのレイアウト変更、合紙やインデックス紙の挿入などの編集操作の結果は、ブック属性や章属性に反映され、あるいはブックファイルの構造に反映されるようになっていること。
　オ　引用発明の文書処理システムは、例えば、印刷出力するブックファイルが、‘１−１、１−２、…、１−８、２−１、２−２、…２−４、３−１、３−２、…３−４’のページ番号の全１６ページであって、３つの章からなり、１章は、それぞれ、‘１−１、１−２、…、１−８’のページ番号からなる８ページ、２章は、それぞれ、‘２−１、２−２、…２−４’のページ番号からなる４ページ、３章は、それぞれ、‘３−１、３−２、…３−４’のページ番号からなる４ページから構成されている文書である場合に、ユーザ（利用者）が、前記製本アプリケーションによる‘文書の詳細設定’の‘仕上げシート’の‘ステイプルの指定’の欄で、‘章単位で’を選択すれば、１章の８ページ、２章の４ページ、３章の４ページのそれぞれをステイプルできるものであること。
　
（２）上記（１）のとおりであるから、引用発明の「画像形成手段」と本願発明の「画像形成手段」とは、「複数の原稿ページから成る原稿の画像データに基づいて画像を記録媒体上に形成する」と共に、「前記記録媒体にページ番号を印字させる指示を受け付けた場合に前記記録媒体にページ番号を印字させる」ことができる点でも一致し、引用発明の「前記後処理区分設定入力手段が後処理の実行対象となる前記原稿ページの区分を受け付けた場合、前記画像形成手段に、前記区分毎に印字させる手段」と本願発明の「前記後処理区分設定入力手段が後処理の実行対象となる前記原稿ページの区分を受け付けた場合、前記画像形成手段に、前記区分毎に印字させる手段」とは、さらに、前記「ページ番号を印字させる」指示を受け付けた場合に、前記「画像形成手段」に、「前記区分毎に開始番号が１に設定された連続番号を前記ページ番号として」印字させる「番号設定制御手段」である点でも一致するといえる。
　したがって、本願発明と引用発明とは、
「複数の原稿ページから成る原稿の画像データに基づいて画像を記録媒体上に形成すると共に、前記記録媒体にページ番号を印字させる指示を受け付けた場合に前記記録媒体にページ番号を印字させる画像形成手段と、前記記録媒体に後処理を施す後処理手段とを有する画像形成装置において、
　前記後処理の実行対象となる前記原稿ページの区分の指定を受け付ける後処理区分設定入力手段と、
　前記ページ番号を印字させる指示を受け付け、且つ、前記後処理区分設定入力手段が後処理の実行対象となる前記原稿ページの区分を受け付けた場合、前記画像形成手段に、前記区分毎に開始番号が１に設定された連続番号を前記ページ番号として印字させる番号設定制御手段と、
　を備える画像形成装置。」である点で一致し、相違するところはない。
　
（３）したがって、本願発明と引用発明とは同一の発明であるから、本願発明は、引用例に記載された発明であり、本願の出願前に頒布された刊行物に記載された発明である。
　
　なお、原査定の拒絶の理由は、特許法第２９条第１項第３号に該当するというものではないが、審判請求人は、審判請求書において、本願発明と上記引用例とを対比し、容易性のみならず、同一性についても検討していることは明らかである。
　
　また、仮に上記（１）のように解されないとしても、上記（１）のアないしオのことからして、引用発明において、上記相違点に係る本願発明の構成となすことは、当業者が一般常識に基づいて容易になし得た程度のことである。
　したがって、仮に上記（１）のように解されないとしても、本願発明は、当業者が引用発明及び一般常識に基づいて容易に発明をすることができたものである。
　
６　むすび 
　本願発明は、上記５のとおり、刊行物に記載された発明であるから、特許法第２９条第１項第３号の規定に該当し特許を受けることができない。
　また、仮に上記５（１）のように解されないとしても、本願発明は、上記５のとおり、当業者が引用発明及び一般常識に基づいて容易に発明をすることができたものであるから、特許法第２９条第２項の規定により特許を受けることができない。
　よって、結論のとおり審決する。